(57)【要約】【課題】２本の危険旗を連結する接続管を組み込む構成にすることで、作業者が鉄塔上において移動することなく、鉄塔の２箇所に危険旗を迅速かつ容易に取り付けることができ、保守、点検作業が終了した後に取り外す際も作業者が同じ位置で移動することなく容易に外す。【解決手段】送電線鉄塔Ｔにおいて保守点検する際に、送電線ＴＬの充電箇所や危険個所に近づかないことを作業者に知らせる接続管付き危険旗１であり、接続管７を両方の旗付きパイプ材５のパイプ状部材２にそれぞれ連結し、作業者が送電線鉄塔Ｔの１箇所において、一方の旗付きパイプ材５の取付金具４を鉄塔Ｔの構造材Ｓに掛け止め、作業者はその位置で移動することなく、連結された接続管７を手で持った状態で、反対側の鉄塔Ｔの構造材Ｓに、この接続管７の先に連結されている他方の旗付きパイプ材５の取付金具４を掛け止め得るように構成した。【選択図】図１
2011151934.tif 000002
【特許請求の範囲】
【請求項１】
送電線鉄塔（Ｔ）において保守点検する際に、送電線（ＴＬ）の充電箇所や危険個所に近づかないことを作業者に知らせる接続管付き危険旗（１）であって、
パイプ状部材（２）の一端に旗材（３）を、その他端に鉄塔（Ｔ）の構造材（Ｓ）に掛け止める取付金具（４）をそれぞれ具備した旗付きパイプ材（５）と、
前記２本の旗付きパイプ材（５）を、各取付金具（４）側を向かい合わせにして連結するために、各パイプ状部材（２）内に挿入し、かつその両端が各パイプ状部材（２）内で結着された伸縮部材（６）と、
両旗付きパイプ材（５）間に、前記伸縮部材（６）を挿通すると共に、前記パイプ状部材（２）に挿抜自在に連結し得るパイプ状の接続管（７）と、を備え、
前記接続管（７）を両方の旗付きパイプ材（５）のパイプ状部材（２）にそれぞれ連結し、作業者が送電線鉄塔（Ｔ）の１箇所において、一方の旗付きパイプ材（５）の取付金具（４）を鉄塔（Ｔ）の構造材（Ｓ）に掛け止め、
作業者はその位置で移動することなく、連結された接続管（７）を手で持った状態で、反対側の鉄塔（Ｔ）の構造材（Ｓ）に、該接続管（７）の先に連結されている他方の旗付きパイプ材（５）の取付金具（４）を掛け止め得るように構成した、ことを特徴とする接続管付き危険旗。
【請求項２】
前記接続管（７）のパイプを尖るように形成した先端を、前記旗付きパイプ材（５）のパイプ状部材（２）を拡開するように形成した先端に挿入して連結するように構成した、ことを特徴とする請求項１の接続管付き危険旗。
【請求項３】
前記接続管（７）のパイプを拡開するように形成した先端に、前記旗付きパイプ材（５）のパイプ状部材（２）を尖るように形成した先端を挿入して連結するように構成した、ことを特徴とする請求項１の接続管付き危険旗。
【請求項４】
前記取付金具（４）は、掛け止め部分が前記パイプ状部材（２）において旗材（３）と反対方向に形成された鉤状部を形成したものである、ことを特徴とする請求項１の接続管付き危険旗。
【請求項５】
前記取付金具（４）は、前記旗付きパイプ材（５）の長手方向に対して垂直方向に突出する、先端に抜け止め（１１）を有する突起状部材（１２）を形成したものである、ことを特徴とする請求項１の接続管付き危険旗。
【請求項６】
前記旗付きパイプ材（５）の取付金具（４）の近傍に、鉄塔（Ｔ）の構造材（Ｓ）に巻き付ける紐部材（８）を取り付けた、ことを特徴とする請求項１の接続管付き危険旗。
【発明の詳細な説明】
【技術分野】
【０００１】
本発明は、送電線鉄塔において点検、保守を行う際に、高圧送電線の充電箇所等に近づかないことを作業者に知らせる危険旗に係り、特に鉄塔の構造材に容易に取り付け、取り外すことができる接続管付き危険旗に関する。
【背景技術】
【０００２】
高圧電流の送電線鉄塔において、送電線の一部を停電して作業を行なう停電工事では、作業を安全に行なうために活線側アームに危険旗、立入禁止旗又は安全旗と称される旗を取り付けることが義務づけられている。この危険旗等は、鉄塔又は鉄構上での停止作業時に充電箇所や危険個所近づかないことを作業者に知らせる標識である。
【０００３】
この危険旗５１は、図６に示すように、例えば「危険」と文字が表示された旗５２を、棒材５３に取り付け、その棒材５３の一端に、鉄塔ＴのアームＴＡの構造材Ｓ等に取り付けるための取付金具５４を設けたものである。この取付金具５４は、鉄塔Ｔの構造材Ｓ等を挟み込める凹み部５５が形成された断面が略コ字形状のコ字状部材５６から成り、このコ字状部材５６の一端に棒材５３を取り付け、コ字状部材５６の他端に、凹み部５５側に前後するねじ込み式の調節ねじ５７を設けたものである。この取付金具５４は、そのコ字状部材５６の凹み部５５から鉄塔Ｔの構造材Ｓを挟み込み、調節ねじ５７を締め付けることにより、危険旗５１を鉄塔Ｔの構造材Ｓに強固に取り付けるものである。
【０００４】
この危険旗５１を送電線鉄塔ＴのアームＴＡ（構造材Ｓ）に装着するときは、図７の鉄塔Ｔの平面図に示すように、２本の危険旗５１を、各アームＴＡ毎にＡＢ面ＣＤ面それぞれに１本を取り付けている。この２本の危険旗５１で区画される図示上の下半分の領域が、送電線ＴＬが充電状態にある「危険範囲」になり、図示上の上半分の領域が、送電線ＴＬが停電状態にある「安全範囲」になることを作業者に知らせる。
【０００５】
このような鉄塔に装着する危険旗に関しては、種々提案されている。例えば特許文献１の実開平６−２９３２０号公報「赤旗付き隔離棒」に示すように、危険表示等の赤旗を取り付け保持し金具取付具によって隔離棒取付固定金具を取り付けた短隔離棒と、危険表示等の赤旗を取り付け保持し金具取付具によって隔離棒引っ掛け金具と引っ掛け金具の滑落を防ぐために送電線鉄塔のアーム吊り或いは送電線鉄塔本体の構造材に締結止めするための安全紐を取り付けた長隔離棒と、長短二本の隔離棒を繋いだ赤旗取付リングによって赤旗を保持した伸縮性紐とで構成される赤旗付き隔離棒が提案されている。
【特許文献１】実開平６−２９３２０号公報
【発明の開示】
【発明が解決しようとする課題】
【０００６】
しかし、従来の危険旗５１は、図７に示すように、送電線鉄塔ＴのアームＴＡの構造材Ｓ毎にそれぞれ計２本を取り付けなければならない。先ず、アームＴＡの構造材ＳのＡＢ面に１本目を取り付けた後に、その反対側のＣＤ面付近に移動して２本目を取り付けるために、その取付け作業が煩雑になりやすく、鉄塔Ｔという高所における作業で大変危険であるという問題を有していた。更に、鉄塔Ｔのような高所では強風により危険旗５１が風に飛ばされ落下するおそれもあった。
【０００７】
また、上述した特許文献１の赤旗付き隔離棒は、２枚の赤旗を伸縮性紐で繋いだ構造であるため、強風により飛ばされて落下するおそれは低いが、１本目の赤旗を鉄塔のアームに取り付け、次に２本目の赤旗をアームの反対側に移動して取り付ける作業は従来と同様
で、その取付けに手間取りやすいという問題は有していた。
【０００８】
本発明は、かかる問題点を解決するために創案されたものである。すなわち、本発明の目的は、２本の危険旗を連結する接続管を組み込む構成にすることで、作業者が鉄塔上において移動することなく、鉄塔の２箇所に危険旗を迅速かつ容易に取り付けることができ、保守、点検作業が終了した後に取り外す際も作業者が同じ位置で移動することなく容易に外すことができる接続管付き危険旗を提供することにある。
【課題を解決するための手段】
【０００９】
本発明は、送電線鉄塔（Ｔ）において保守点検する際に、送電線（ＴＬ）の充電箇所や危険個所に近づかないことを作業者に知らせる接続管付き危険旗（１）であって、パイプ状部材（２）の一端に旗材（３）を、その他端に鉄塔（Ｔ）の構造材（Ｓ）に掛け止める取付金具（４）をそれぞれ具備した旗付きパイプ材（５）と、前記２本の旗付きパイプ材（５）を、各取付金具（４）側を向かい合わせにして連結するために、各パイプ状部材（２）内に挿入し、かつその両端が各パイプ状部材（２）内で結着された伸縮部材（６）と、両旗付きパイプ材（５）間に、前記伸縮部材（６）を挿通すると共に、前記パイプ状部材（２）に挿抜自在に連結し得るパイプ状の接続管（７）と、を備え、前記接続管（７）を両方の旗付きパイプ材（５）のパイプ状部材（２）にそれぞれ連結し、作業者が送電線鉄塔（Ｔ）の１箇所において、一方の旗付きパイプ材（５）の取付金具（４）を鉄塔（Ｔ）の構造材（Ｓ）に掛け止め、作業者はその位置で移動することなく、連結された接続管（７）を手で持った状態で、反対側の鉄塔（Ｔ）の構造材（Ｓ）に、該接続管（７）の先に連結されている他方の旗付きパイプ材（５）の取付金具（４）を掛け止め得るように構成したことを特徴とする。
【００１０】
例えば、前記接続管（７）のパイプを尖るように形成した先端を、前記旗付きパイプ材（５）のパイプ状部材（２）を拡開するように形成した先端に挿入して連結するように構成した。あるいは前記接続管（７）のパイプを拡開するように形成した先端に、前記旗付きパイプ材（５）のパイプ状部材（２）を尖るように形成した先端を挿入して連結するように構成することができる。
【００１１】
前記取付金具（４）は、掛け止め部分が前記パイプ状部材（２）において旗材（３）と反対方向に形成された鉤状部を形成したものである。
前記取付金具（４）は、前記旗付きパイプ材（５）の長手方向に対して垂直方向に突出する、先端に抜け止め（１１）を有する突起状部材（１２）を形成したものである。
前記旗付きパイプ材（５）の取付金具（４）の近傍に、鉄塔（Ｔ）の構造材（Ｓ）に巻き付ける紐部材（８）を取り付けることが好ましい。
【発明の効果】
【００１２】
上記構成の本発明では、接続管付き危険旗（１）を使用する際に、接続管（７）を両方の旗付きパイプ材（５）のパイプ状部材（２）にそれぞれ連結する。この接続管（７）を連結した状態で、先ず、一方の旗付きパイプ材（５）の取付金具（４）を、作業者側の鉄塔（Ｔ）の構造材（Ｓ）に掛け止める。次に、この接続管（７）を手で持った状態で、この接続管（７）の先に連結されている他方の旗付きパイプ材（５）の取付金具（４）を、反対側の鉄塔（Ｔ）の構造材（Ｓ）に掛け止める。このとき作業者は最初の位置から移動することなく、反対側の鉄塔（Ｔ）の構造材（Ｓ）にその旗付きパイプ材（５）の取付金具（４）を容易かつ迅速に取り付けることができる。
また、両旗付きパイプ材（５）は、伸縮部材（６）で連結されているために、両方の旗付きパイプ材（５）を常に中心方向に引っ張るように作用している。そこで、両方の取付金具（４）を鉄塔（Ｔ）に掛け止めるだけで、接続管付き危険旗（１）の取付けが容易に完了する。この引っ張り作用により、接続管付き危険旗（１）は外れにくいという効果が
ある。しかも、鉄塔（Ｔ）の塔体幅（アーム（ＴＡ）の構造材（Ｓ）の間隔）に長短があっても何れにも対応することができる。このように、作業者は鉄塔（Ｔ）上を移動する必要がないため高所における作業を安全に行うことができる。
【００１３】
取付金具（４）が旗付きパイプ材（５）に、抜け止め（１１）を有する突起状部材（１２）を形成したものでは、鉄塔（Ｔ）の構造材（Ｓ）の断面の形状に関係なく、接続管付き危険旗（１）を鉄塔（Ｔ）に掛け止めることができる。
取付金具（４）の近傍に巻き付け用の紐部材（８）を取り付けた旗付きパイプ材（５）では、これらの紐部材（８）を鉄塔（Ｔ）の構造材（Ｓ）に締結することにより、接続管付き危険旗（１）が鉄塔（Ｔ）から外れづらく、より安全性が向上する。
【００１４】
この接続管付き危険旗（１）は、１箇所の鉄塔アーム（ＴＡ）の保守点検が終了したら、他の鉄塔アーム（ＴＡ）に容易に着け替えることができ、迅速に装着作業を終了させる。保守作業全体が完了したら、この接続管付き危険旗（１）は、コンパクトに折り畳んで収納することができ、また軽量なため容易に運搬することができる。
【図面の簡単な説明】
【００１５】
【図１】実施例１の接続管付き危険旗を示す正面図である。
【図２】接続管を旗付きパイプ材のパイプ状部材に連結する状態を示し、（ａ）は部分拡大断面図、（ｂ）は部分拡大正面図である。
【図３】接続管を旗付きパイプ材のパイプ状部材に連結する構成の変形例を示し、（ａ）は部分拡大断面図、（ｂ）は部分拡大正面図である。
【図４】接続管付き危険旗の取付金具の変形例を示す部分正面図である。
【図５】接続管付き危険旗の取り付け、取り外しの手順を示す説明図であり、（ａ）は危険旗に接続管を連結する前の状態、（ｂ）は危険旗に接続管を連結した状態、（ｃ）は危険旗を両構造材に取り付けた状態、（ｄ）は折り畳んだ状態である。
【図６】従来の危険旗を示す正面図である。
【図７】従来の危険旗を鉄塔アームの構造材に取り付けた状態を示す平面図である。
【発明を実施するための最良の形態】
【００１６】
本発明の接続管付き危険旗は、送電線鉄塔に保守点検を行う際に、接続管を両方の旗付きパイプ材のパイプ状部材にそれぞれ連結し、作業者が送電線鉄塔の１箇所において、一方の旗付きパイプ材の取付金具を鉄塔の構造材に掛け止め、作業者はその位置で移動することなく、連結された接続管を手で持った状態で、反対側の鉄塔の構造材に、他方の旗付きパイプ材の取付金具を掛け止め得るように構成したものである。
【実施例１】
【００１７】
以下、本発明の好ましい実施の形態を図面を参照して説明する。
図１は実施例１の接続管付き危険旗を示す正面図である。
本発明の接続管付き危険旗１は、パイプ状部材２の一端に旗材３を、パイプ状部材２の他端に鉄塔Ｔ又はアームＴＡの構造材Ｓに掛け止める取付金具４をそれぞれ具備した旗付きパイプ材５から成り、この旗付きパイプ材５を２本組み合わせたものである。この旗付きパイプ材５は、各取付金具４側を向かい合わせにして、各パイプ状部材２内に伸縮部材６を挿入して連結した。更に、両旗付きパイプ材５間に、伸縮部材６を挿通すると共に、何れかのパイプ状部材２に挿抜自在に連結し得るパイプ状の接続管７を備えた。この図１の図示例では、接続管７を片方の旗付きパイプ材５のパイプ状部材２に連結した状態を示しているが、勿論図５（ｂ）に示すように両方の旗付きパイプ材５にそれぞれ連結することもできる。
【００１８】
旗付きパイプ材５は、例えば合成樹脂製のパイプ状部材２の一端に「危険」、「立入禁
止」等と表示した合成樹脂製シート又は布製の旗材３を取り付けたものである。この旗材３は、鉄塔Ｔ又はアームＴＡの構造材Ｓ上での充電箇所や危険個所を認識させる標識として機能する。また、パイプ状部材２の他端には鉄塔ＴのアームＴＡ等の構造材Ｓに掛け止める取付金具４を取り付けた。
【００１９】
この旗付きパイプ材５は、２本１組で危険旗として機能するものである。この旗付きパイプ材５のパイプ状部材２内にゴム紐等の伸縮部材６で挿入し、かつその伸縮部材６の両端を、各パイプ状部材２内で結着して連結した。このときは取付金具４の掛け止め部分を向かい合わせにして連結する。伸縮部材６の中心方向に引っ張る作用を利用するためである。
【００２０】
取付金具４は、その掛け止め部分がパイプ状部材２において旗材３と反対方向に形成されるように鉤状部を形成したものである。この鉤状部は鉄塔Ｔの構造材Ｓに掛け止められる間隔を有する。なお、図示例の鉤状部の形状は一例であって、鉄塔Ｔの構造材Ｓの横断面形状に応じて変形することは勿論可能である。
【００２１】
旗付きパイプ材５の取付金具４の近傍に、鉄塔Ｔの構造材Ｓに巻き付ける紐部材８を取り付けた。この紐部材８は、取付金具４が鉄塔Ｔの構造材Ｓから不用意に外れることを防止するものである。例えば、強風により旗材３が風を受けて旗付きパイプ材５が外れやすいときがある。このようなときに、取付金具４を補強するためにこの紐部材８を鉄塔Ｔの構造材Ｓに巻き付ける。図示例では先端にフック９を設けたゴム紐からなるものである。これ以外に単純に紐だけでもよい（図示していない）。また、この紐部材８は、折り畳んで、接続管付き危険旗１全体をまとめるときにも用いる。
【００２２】
図２は接続管を旗付きパイプ材のパイプ状部材に連結する状態を示し、（ａ）は部分拡大断面図、（ｂ）は部分拡大正面図である。
本発明の接続管付き危険旗１は、両方の旗付きパイプ材５間に、伸縮部材６を挿通したパイプ状の接続管７を取り付けている。この接続管７は、何れかのパイプ状部材２に挿抜自在に連結し得る構造のものである。例えば、この接続管７のパイプを尖るように形成した先端を、旗付きパイプ材５のパイプ状部材２を拡開するように形成した先端に挿入して連結するように構成した。この組み合わせと逆に、接続管７のパイプを拡開するように形成した先端に、旗付きパイプ材５のパイプ状部材２を尖るように形成した先端を挿入して連結するように構成することも勿論可能である（図示していない）。
【００２３】
図３は接続管を旗付きパイプ材のパイプ状部材に連結する構成の変形例を示し、（ａ）は部分拡大断面図、（ｂ）は部分拡大正面図である。
接続管７の外径と、旗付きパイプ材５のパイプ状部材２の外径が同じ太さのパイプを用いたときは、旗付きパイプ材５又は接続管７の先端に連結筒１０を取り付け、この連結筒１０内にパイプ状部材２又は接続管７の先端を挿抜自在に連結し得る構成することも可能である。更に、接続管７と旗付きパイプ材２に連結する構成は、図２又は図３に記載した構成に限定されず、種々の構成に変形できることは勿論である。
【００２４】
図４は接続管付き危険旗の取付金具の変形例を示す部分正面図である。
本発明の接続管付き危険旗１は、２本の旗付きパイプ材５を伸縮部材６により引っ張る構造になるので、取付金具４により鉄塔ＴのアームＴＡ等の構造材Ｓに掛け止めるだけで、両旗付きパイプ材５は構造材Ｓから外れない。そこで、取付金具は、図１に示した鉤状形状に限定されず、先端に抜け止め１１を有する単純な突起状部材１２にすることも可能である。
【００２５】
図５は接続管付き危険旗の取り付け、取り外しの手順を示す説明図であり、（ａ）は危
険旗に接続管を連結する前の状態、（ｂ）は危険旗に接続管を連結した状態、（ｃ）は危険旗を両構造材に取り付けた状態、（ｄ）は折り畳んだ状態である。
先ず、図５（ａ）の状態から図５（ｂ）に示すように、接続管付き危険旗１を使用する際に、接続管７を両方の旗付きパイプ材５のパイプ状部材２にそれぞれ連結する。これにより接続管付き危険旗１の取り扱いが容易になる。
次に、図５（ｃ）に示すように、この接続管７で連結された接続管付き危険旗１は、作業者側（図７で説明したように、ＡＢ側又はＣＤ側）の鉄塔ＴのアームＴＡ又は構造材Ｓにその一方の旗付きパイプ材５の取付金具４を掛け止める。
【００２６】
更に、この接続管７を手で持った状態で、この接続管７の先に連結されている他方の旗付きパイプ材５の取付金具４を、反対側の鉄塔Ｔの構造材Ｓに掛け止める。このとき作業者は最初の位置から移動することなく、反対側の鉄塔Ｔの構造材Ｓに容易かつ迅速に取り付けることができる。両構造材Ｓに取り付けられた両旗付きパイプ材５は、伸縮部材６で連結されているために、両方の旗付きパイプ材５は常に中心方向に引っ張られている。そこで、２本の旗付きパイプ材５の取付金具４を鉄塔Ｔに掛け止めるだけで、接続管付き危険旗１の取付けが完了する。
なお、連結された接続管７は、旗付きパイプ材５のパイプ状部材２から外れても、伸縮部材６が挿通されているため旗付きパイプ材５が分離して落下することはない。
【００２７】
接続管付き危険旗１を取り外すときは、上述した手順の逆を行えば容易に外すことができる。勿論取り外すときも、作業者はこの接続管７を使って、最初の位置を移動することなく、他方の旗付きパイプ材５を取り外すことができる。
【００２８】
接続管付き危険旗１を運搬又は収納するときは、図５（ｄ）に示すように、折り畳み、例えば紐部材８を用いて全体をまとめる。このようにして、運搬に際してそれぞれの部材がバラバラになることがない。
【００２９】
なお、本発明は、２本の接続管付き危険旗１を、接続管７を介在して連結した構成にすることで、作業者が鉄塔Ｔ上において移動することなく、鉄塔Ｔの構造材Ｓの２箇所に接続管付き危険旗１を迅速かつ容易に取り付けることができ、また鉄塔Ｔ上において保守、点検作業が終了した後に取り外す際も作業者が鉄塔Ｔ上の１箇所で移動することなく容易に外すことができる構成であれば、上述した発明の実施の形態に限定されず、本発明の要旨を逸脱しない範囲で種々変更できることは勿論である。
【産業上の利用可能性】
【００３０】
本発明の接続管付き危険旗は、送電線鉄塔の保守、点検に利用することができるが、送電線鉄塔以外の高所のような危険な場所への接近を防止するために２箇所に標識を取り付けて保守点検する際にも利用することができる。
【符号の説明】
【００３１】
１  接続管付き危険旗
２  パイプ状部材
３  旗材
４  取付金具
５  旗付きパイプ材
６  伸縮部材
７  接続管
８  紐部材
１１  抜け止め
１２  突起状部材
ＴＬ  送電線
Ｔ  鉄塔
ＴＡ  鉄塔アーム
Ｓ  構造材
【図１】
2011151934.tif 000003
【図２】
2011151934.tif 000004
【図３】
2011151934.tif 000005
【図４】
2011151934.tif 000006
【図５】
2011151934.tif 000007
【図６】
2011151934.tif 000008
【図７】
2011151934.tif 000009